(57)【要約】      （修正有）【課題】散熱効果が高い灯具を提供する。【解決手段】灯具は、パネル１０と、パネルの投射光１１内縁に結合するワッシャ２０及び散熱リング３０と、パネルの内縁に結合する内板４０と、発光面が内板の穿孔４１に入る発光ダイオード灯部品と、導熱面が発光ダイオード灯部品に結合し、散熱面が散熱底板７０に結合する流体循環散熱器６０と、散熱底板及び内板を貫通してパネルに連結する連結柱８０を備える。発光ダイオード灯部品と散熱リングとの間には散熱空間が形成され、散熱底板が、各散熱面の熱を導引して散熱する。【選択図】図２
0003165565.tif 000002
【実用新案登録請求の範囲】
【請求項１】
パネル、複数のワッシャ、複数の散熱リング、内板、複数の発光ダイオード灯部品、複数の流体循環散熱器、散熱底板、複数の連結柱を備え、
前記パネル表面には、複数の投射孔を設置し、前記パネル内縁には、複数の嵌槽を設置し、
前記複数のワッシャは、前記パネルの投射孔内縁に結合し、
前記複数の散熱リングは、表面に複数の孔を形成し、前記各散熱リングは、前記パネルの投射孔内縁にそれぞれ結合し、
前記内板は、表面に複数の穿孔を設置し、前記各穿孔は、前記各散熱リングに対応し、しかも前記内板底部周縁には、複数のフックを設置し、前記各フックは、前記パネル内縁の各嵌槽に対応して嵌合し、これにより前記内板は、前記パネル内縁に結合し、
前記複数の発光ダイオード灯部品前端の発光面は、前記内板の各穿孔中に挿入され、これにより、前記各発光ダイオード灯部品と、前記散熱リングとの間には、散熱空間が形成され、発光面の熱は、前記発光ダイオード灯部品後端の散熱面と散熱リングの孔により散熱され、
前記複数の流体循環散熱器は、内部に、方向性の無い流体循環散熱機能を備え、一端には、導熱面を設置し、これにより、前記発光ダイオード灯部品後端の散熱面に連結し、前記内板の穿孔を通り抜け、反対端には、散熱面を設置し、前記発光ダイオード灯部品の散熱面の熱の後方性の無い流体循環散熱機能を向上させられ、
前記散熱底板は、前記各流体循環散熱器の散熱面に連結し、前記各散熱面の熱を導引して散熱し、
前記複数の連結柱の一端は、前記散熱底板と前記内板を、それぞれ貫通し、さらに前記パネル内縁に連結することを特徴とする散熱効果が高い灯具。
【請求項２】
前記パネル表面には、複数の通気孔を設置することを特徴とする請求項１に記載の散熱効果が高い灯具。
【請求項３】
前記パネル周辺には、複数の固定結合部を設置することを特徴とする請求項１に記載の散熱効果が高い灯具。
【請求項４】
前記固定結合中には、少なくとも１対の固定結合ネジ孔を設置することを特徴とする請求項３に記載の散熱効果が高い灯具。
【請求項５】
前記固定結合ネジ孔は、ボルトにより、弾性固定部品を固定結合して連結することを特徴とする請求項４に記載の散熱効果が高い灯具。
【請求項６】
前記弾性固定部品は、弾力片であることを特徴とする請求項５に記載の散熱効果が高い灯具。
【請求項７】
前記パネル内縁には、複数の螺合台を設置し、これに前記連結柱の一端を連結することを特徴とする請求項１に記載の散熱効果が高い灯具。
【請求項８】
前記散熱リングは、弾性体であることを特徴とする請求項１に記載の散熱効果が高い灯具。
【請求項９】
前記内板には、複数の貫通孔を設置し、これに前記連結柱一端を貫通させることを特徴とする請求項１に記載の散熱効果が高い灯具。
【請求項１０】
前記内板には、複数の空気孔を設置することを特徴とする請求項１に記載の散熱効果が高い灯具。
【請求項１１】
前記発光ダイオード灯部品前端の発光面には、ランプシェードを結合することを特徴とする請求項１に記載の散熱効果が高い灯具。
【請求項１２】
前記流体循環散熱器は、外管、導熱部品、散熱部品、少なくとも１個の熱均一リング、少なくとも１個の液吸収導管、内管を備え、
前記外管は、導熱体で、前記外管内部には、少なくとも１個の収容室を形成し、前記収容室上端内壁には、複数の固定結合ネジヤマを設置し、前記収容室下端内壁には、複数の固定結合ネジヤマを設置し、
前記導熱部品外部に表面には、導熱面を形成し、これにより前記発光ダイオード灯部品の散熱面は連結し、前記導熱部品内縁には、接合部を形成し、前記接合部外縁には、複数のネジヤマを設置し、前記ネジヤマは、前記外管の収容室上端の固定結合ネジヤマに対応して、螺合し、これにより前記導熱部品は、前記外管の収容室上端に結合し、前記接合部内縁には、少なくとも１個の挿入孔を設置し、
前記散熱部品外部表面には、散熱面を形成し、前記散熱面上には、少なくとも１個のネジ孔を設置し、前記散熱部品は、内縁に、接合部を形成し、前記接合部外縁には、複数のネジヤマを設置し、前記ネジヤマは、前記外管の収容室下端の固定結合ネジヤマに対応して、螺合し、これにより、前記散熱部品は、前記外管の収容室下端に結合し、前記接合部内縁には、少なくとも１個の挿入孔を設置し、
前記熱均一リングは、液を吸収する材料により構成し、前記熱均一リングは、前記導熱部品内縁の接合部表面に結合し、前記熱均一リング中には、少なくとも１個の穿孔を形成し、前記穿孔は、前記導熱部品の挿入孔に対応し、
前記少なくとも１個の液吸収導管は、液を吸収する材料により構成し、前記内管は、前記液吸収導管の外部を包み、前記液吸収導管両端の局部だけを露出させ、前記液吸収導管両端は、前記熱均一リングの穿孔と前記導熱部品の挿入孔、前記散熱部品の挿入孔に、それぞれ対応して挿入し、
こうして、前記液吸収導管は、前記熱均一リング、前記導熱部品と前記散熱部品間の収容室空間中に連結し、前記内管と前記外管とは隔てられ、少なくとも１個の循環管道を形成し、前記循環管道内には、少なくとも１種の流体導熱媒介を充填することを特徴とする請求項１に記載の散熱効果が高い灯具。
【請求項１３】
前記散熱底板は、表面に、若干のネジ孔を設置し、ボルトにより、前記各流体循環散熱器の散熱面と固定結合して連結することを特徴とする請求項１に記載の散熱効果が高い灯具。
【請求項１４】
前記散熱底板は、表面に、若干の穿孔を設置し、前記穿孔には、前記連結柱一端を通すことを特徴とする請求項１に記載の散熱効果が高い灯具。
【請求項１５】
前記散熱底板は、表面に、少なくとも１個の出線口を設置することを特徴とする請求項１に記載の散熱効果が高い灯具。
【請求項１６】
前記出線口には、少なくとも１個の電源ケーブル一端を通らせることを特徴とする請求項１５に記載の散熱効果が高い灯具。
【請求項１７】
前記電源ケーブル一端には、コネクターを設置することを特徴とする請求項１６に記載の散熱効果が高い灯具。
【請求項１８】
前記散熱底板は、管路を結合し、前記管路上方には、電源装置を結合することを特徴とする請求項１に記載の散熱効果が高い灯具。
【請求項１９】
前記電源装置上方には、吊り下げ棒を連結し、前記吊り下げ棒一端は、固定台に結合することを特徴とする請求項１８に記載の散熱効果が高い灯具。
【請求項２０】
前記連結柱両端には、固定結合部とナット部を設置し、前記固定結合は、前記パネル内縁に固定結合して連結することを特徴とする請求項１に記載の散熱効果が高い灯具。
【考案の詳細な説明】
【技術分野】
【０００１】
本考案は散熱効果が高い灯具に関し、特に発光ダイオード照明灯具に応用し、発光ダイオード灯部品の前、後端に、散熱リングと流体循環散熱器をそれぞれ備え、二重の散熱性能を達成する散熱効果が高い灯具に関する。  
【背景技術】
【０００２】
従来の発光ダイオード(LED)灯具は、各種照明として広く使用されている。発光ダイオードは、節電、省エネの環境保護効果を備えるが、現在の発光ダイオード灯具には、応用上のボトルネックとなっている散熱という問題がある。例えば、複数の散熱発光ダイオードにより組成する天井嵌め込み灯、ハイダウンライトなどの発光ダイオード灯具は、天井に嵌め込む、或いは天井から吊り下げるため、散熱空間に限界がある。そのため、発光ダイオードの天井嵌め込み灯、或いはハイダウンライトなどの灯具はの散熱速度は遅く、散熱が不均一で、しかも散熱性能が悪い。これにより、ランプヘッドのパネル、或いはランプ体本体の温度が上がり、発光ダイオード部品に、深刻な光減衰現象、或いは過熱損壊現象という問題が発生する。これは、発光ダイオード部品を、天井嵌め込み灯とハイダウンライトに応用する際に、不利である。
【０００３】
関連技術として、以下の３案がある。特許文献１の「光透過板を供えるLED嵌め込み灯構造」実用新案、特許文献２の「発光ダイオードを光源とする灯具構造(一)」実用新案、特許文献３の「発光ダイオード灯具構造」実用新案、特許文献４の「嵌め込み灯、及び交換式嵌め込み灯光源モジュール」実用新案がある。これらはみな、少なくとも１個、或いは複数の発光ダイオードにより組成する嵌め込み灯の灯具構造を掲示している。しかし、上記した構造中の発光ダイオード部品はみな、多数の発光ダイオード部品が、１個の散熱器を共用しており、しかも散熱器は、空気冷却式の伝統的な散熱フィン散熱器である。そのため、発光ダイオード部品の散熱速度は緩慢で、散熱が不均一で、しかも散熱効果が不良である。これにより、上記と同様に、発光ダイオード部品に深刻な光減衰現象、或いは過熱損壊現象という問題が発生する。上記したような、従来の発光ダイオード嵌め込み灯、或いはハイダウンライト中の発光ダイオードに対して、１個の従来の散熱フィン散熱器により、単独で散熱を行う方式は、空気冷却であるため、より大きな散熱面積と空気容積が必要である。そのため、発光ダイオード嵌め込み灯、或いはハイダウンライトの体積を大きくしてしまい、産業上の利用を困難にしている。
【０００４】
本考案は、上記した従来の発光ダイオード嵌め込み灯、或いはハイダウンライトは共に、従来の空気冷却式の散熱フィン散熱器共通の散熱設備とするため、各発光ダイオード部品の散熱速度を遅く、散熱効率を悪く、散熱を不均一にし、これにより発光ダイオードに深刻な光減衰現象、或いは過熱損壊現象という問題を発生させており、発光ダイオード嵌め込み灯、或いはハイダウンライトの産業利用に不利であるという欠点に鑑みてなされたものである。
【先行技術文献】
【特許文献】
【０００５】
【特許文献１】中華民国特許公報第Ｍ３８０４２７号
【特許文献２】中華民国特許公報第Ｍ３８２４４０号
【特許文献３】中華民国特許公報第Ｍ３８７２１０号
【特許文献４】中華民国特許公報第Ｍ３８９２０３号
【考案の概要】
【考案が解決しようとする課題】
【０００６】
本考案が解決しようとする課題は、各発光ダイオード部品の散熱ルートを独立させ、しかも散熱を平均にし、前端の発光面のパネルとランプ体の熱を、後方へと迅速に導熱して散熱させることができる体積が小さく、独立しており、液体と気体のフェーズ変化で迅速に熱交換、散熱を行う散熱効果が高い灯具を提供することである。
【課題を解決するための手段】
【０００７】
上記課題を解決するため、本考案は下記の散熱効果が高い灯具を提供する。
散熱効果が高い灯具は、パネル、複数のワッシャ、複数の散熱リング、内板、複数の発光ダイオード灯部品、複数の流体循環散熱器、少なくとも１個の散熱底板、複数の連結柱を備え、
該パネル表面には、複数の投射孔を予め設置し、該ワッシャと該散熱リングは、該パネルの投射孔内縁にそれぞれ結合し、
該内板は、該パネル内縁に結合し、しかも表面には複数の穿孔を設置し、
該穿孔は、該散熱リングに対応し、
該発光ダイオード灯部品の発光面は、該内板の各穿孔中に挿入され、これにより、該発光ダイオード灯部品と、該散熱リングとの間には、散熱空間が形成され、
該流体循環散熱器は、内部に、方向性の無い流体循環散熱機能を備え、導熱面は、該発光ダイオード灯部品後端の散熱面に連結し、該発光ダイオード灯部品が発した熱は流体循環散熱器中に導入され、
該流体循環散熱器反対端の散熱面より持ち出され、
該散熱底板は、該各流体循環散熱器の散熱面に連結し、熱を導引して散熱し、
該連結柱は、該散熱底板と該内板を、それぞれ貫通し、さらに該パネルに連結し、
こうして若干の独立した液体、気体のフェーズ循環流体循環散熱器を構成し、灯具の散熱効果を高めることができ、
散熱効果が高い灯具は、発光ダイオード灯部品前端の散熱リングにより、該発光ダイオード灯部品と該散熱リングとの間に散熱空間を形成し、該発光ダイオード灯部品に初歩の散熱効果を提供し、しかも該各流体循環散熱器により、各発光ダイオード灯部品の散熱面に、熱の液体、気体のフェーズ循環方式の伝導を提供し、熱を散熱底板へと迅速に伝え均一に散熱し、
この種の、液体、気体のフェーズ循環方式は、散熱器全体の体積を効果的に縮小できる他、該パネル、該内板、該散熱底板の各点の散熱を均一にすることができ、これにより該パネルの温度は迅速に低下し、該発光ダイオード灯部品の作動の正常を保ち、その使用寿命を延長し、こうして発光ダイオード嵌め込み灯、或いはハイダウンライトの産業上の利用価値を高めることができる。
【考案の効果】
【０００８】
本考案の散熱効果が高い灯具は、各発光ダイオード部品の散熱ルートを独立させ、しかも散熱を平均にし、前端の発光面のパネルとランプ体の熱を、後方へと迅速に導熱して散熱させることができ、体積が小さく、独立しており、液体と気体のフェーズ変化で迅速に熱交換、散熱を行うことができる。
【図面の簡単な説明】
【０００９】
【図１】本考案散熱効果が高い灯具第一実施例の立体外観構造図である。
【図２】図１の立体分解構造図である。
【図３】図１の別の角度の立体外観構造図である。
【図４】本考案散熱効果が高い灯具中の各流体循環散熱器の断面拡大図である。
【図５】本考案散熱効果が高い灯具の応用例図である。
【図６】本考案散熱効果が高い灯具を、天井の嵌孔に嵌めて設置し、天井嵌め込み灯を形成する状態を示す側面図である。
【図７】本考案散熱効果が高い灯具中の各流体循環散熱器の自体循環散熱ルートを示す断面拡大図である。
【図８】本考案散熱効果が高い灯具第二実施例の表示図である。
【図９】図８中の散熱効果が高い灯具を、天井から掛けてハイダウンライトとして使用する状態を示す側面図である。
【図１０】本考案散熱効果が高い灯具第三実施例の表示図である。
【考案を実施するための形態】
【００１０】
以下に図面を参照しながら本考案を実施するための最良の形態について詳細に説明する。
【実施例】
【００１１】
図１、２、３に示すように、本考案散熱効果が高い灯具１００の第一実施例では、散熱効果が高い灯具１００は、パネル１０、複数のワッシャ２０、複数の散熱リング３０、内板４０、複数の発光ダイオード灯部品５０、複数の流体循環散熱器６０、散熱底板７０、複数の連結柱８０を備える。パネル１０表面には、複数の投射孔１１を予め設置する。投射孔１１は、予め設置するナイフモールドの孔で、これにより使用者は開いて孔を形成するか、或いは直接貫通孔を予め設置するか、自ら選択することができる。パネル１０表面には、複数の通気孔１２を設置する。パネル１０周辺には、複数の固定結合部１３を設置する。各固定結合部１３中には、少なくとも１対の固定結合ネジ孔１３１、複数の弾性固定部品１３３を設置する。各弾性固定部品１３３は、弾力片で、外へと押し開く弾性を備え、しかも各弾性固定部品１３３一端には、複数の孔１３３Aを設置する。各１対の固定結合孔１３３は、弾性固定部品１３３一端の孔１３３Aにそれぞれ対応し、さらにそれぞれ１対のボルト１３２を通し、固定結合して連結する。パネル１０内縁には、複数の螺合台１４と嵌槽１５を設置する。
【００１２】
複数のワッシャ２０は、パネル１０の投射孔１１内縁に結合する。
複数の散熱リング３０は、弾性体で、本考案では、ゴムリングを例とする。散熱リング３０は、表面に複数の孔３１を形成する。各散熱リング３０は、パネル１０の投射孔１１内縁にそれぞれ結合する。
【００１３】
内板４０は、表面に複数の穿孔４１を設置する。各穿孔４１は、各散熱リング３０に対応し、しかも内板４０には、複数の貫通孔４２、空気孔４３を設置する。内板４０底部周縁には、複数のフック４４を設置する。各フック４４は、パネル１０内縁の各嵌槽１５に対応して嵌合し、これにより内板４０は、パネル１０内縁に結合する。
【００１４】
図４に示すように、複数の発光ダイオード灯部品５０前端の発光面５１には、ランプシェード５１１を結合する。発光面５１とランプシェード５１１は、内板４０の各穿孔４１中に挿入する。これにより、発光ダイオード灯部品５０と、散熱リング３０との間には、散熱空間が形成される。発光面５１の熱は、発光ダイオード灯部品５０後端の散熱面５２により散熱される他に、散熱リング３０の孔３１から発散され、さらにパネル１０の通気孔１２から発散される。
【００１５】
複数の流体循環散熱器６０は、内部に、方向性の無い流体循環散熱機能を備える。その型式には制限がないが、本考案中では例として、外管６１、導熱部品６２、散熱部品６３、少なくとも１個の熱均一リング６４、液吸収導管６５、内管６６により構成する。外管６１は、アルミニウムなどの導熱体である。外管６１外部には、複数の散熱フィン６１１を設置する。外管６１内部には、少なくとも１個の収容室６１２を設置する。収容室６１２上端内壁には、複数の固定結合ネジヤマ６１２Aを設置する。収容室６１２下端内壁には、複数の固定結合ネジヤマ６１２Ｂを設置する。
【００１６】
導熱部品６２は、アルミニウム、銅、或いは合金材料などの金属材料である導熱材料により構成する。導熱部品６２外部に表面には、導熱面６２１を形成する。これにより、発光ダイオード灯部品５０の散熱面５２は連結する。導熱部品６２内縁には、接合部６２２を形成する。接合部６２２外縁には、複数のネジヤマ６２２Aを設置する。ネジヤマ６２２Aは、外管６１の収容室６１２上端の固定結合ネジヤマ６１２Bに対応して、螺合する。これにより、導熱部品６２は、外管６１の収容室６１２上端に結合し、接合部６２２内縁には、少なくとも１個の挿入孔６２２Bを設置する。
【００１７】
散熱部品６３は、アルミニウム、銅、或いは合金材料などの金属材料である導熱材料により構成する。散熱部品６３外部表面には、散熱面６３１を形成する。散熱面６３１上には、少なくとも１個のネジ孔６３１Aを設置する。散熱部品６３は、内縁に、接合部６３２を形成する。接合部６３２外縁には、複数のネジヤマ６３２Aを設置する。ネジヤマ６３２Aは、外管６１の収容室６１２下端の固定結合ネジヤマ６１２Bに対応して、螺合する。これにより、散熱部品６３は、外管６１の収容室６１２下端に結合し、接合部６３２内縁には、少なくとも１個の挿入孔６３２Bを設置する。
【００１８】
上記した導熱部品６２、散熱部品６３と外管６１の収容室６１２との間の組合せ構造は、ネジヤマ６２２A、固定結合ネジヤマ６１２Bとネジヤマ６３２A、固定結合ネジヤマ６１２Bとの間の対応螺合方式に、限定されるものではない。粘着結合、或いは嵌合などの等価の組合せ構造であれば、本考案の範囲に含むものとする。
【００１９】
熱均一リング６４は、不織布、スポンジなどの液を吸収する材料により構成する。熱均一リング６４は、導熱部品６２内縁の接合部６２２表面に結合する。熱均一リング６４中には、少なくとも１個の穿孔６４１を形成する。穿孔６４１は、導熱部品６２の挿入孔６２２Bに対応する。
【００２０】
液吸収導管６５は、不織布、スポンジなどの液を吸収する材料により構成する。内管６６は、ゴム、或いはプラスチックなどの耐熱断熱材料により構成する。内管６６は、液吸収導管６５の外部を包み、液吸収導管６５両端の局部だけを露出させる。液吸収導管６５両端は、熱均一リング６４の穿孔６４１と導熱部品６２の挿入孔６２２B、散熱部品６３の挿入孔６３２Bに、それぞれ対応して挿入する。これにより、液吸収導管６５は、熱均一リング６４、導熱部品６２と散熱部品６３間の収容室６１２空間中に連結する。こうして、内管６６と外管６１とは隔てられ、少なくとも１個の循環管道６１２Cを形成する。循環管道６１２C内には、少なくとも１種の流体導熱媒介６１２Dを充填する。流体導熱媒介６１２Dの型式には制限がないが、本考案中では、冷却液を例とする。しかし、他の水、或いはオイルなどの散熱効果を備える流体媒介も、本考案の範囲に含むものとする。
【００２１】
液吸収導管６５両端と、導熱部品６２、散熱部品６３との間の連結構造は、挿入孔６２２B及び挿入孔６３２Bに挿入して接続するものに限定しない。粘着結合、或いは嵌合などの他の等価の連結構造も、本考案の範囲に含むものとする。
【００２２】
上記した各流体循環散熱器６０前端の導熱面６２１一端は、内板４０の各穿孔４１に対応して通り抜ける。
【００２３】
散熱底板７０は、表面に若干のネジ孔７１、穿孔７２、少なくとも１個の出線口７３を設置する。ネジ孔７１は、各流体循環散熱器６０の散熱部品６３散熱面６３１のネジ孔６３１Aと対応し、それぞれボルト７１１を通して螺合される。これにより、各流体循環散熱器６０の散熱部品６３の散熱面６３１と散熱底板７０とは連結し、こうして各流体循環散熱器６０の散熱面６３１が散熱する熱は、散熱底板７０へと導引され、散熱が行われる。出線口７３には、電源ケーブル７３１一端を通し(図３参照)、これにより各発光ダイオード灯部品５０の電源配線を接続する。電源ケーブル７３１の、出線口７３に露出する一端は、少なくとも１個のコネクター７３１Aに連結する。
【００２４】
複数の連結柱８０の両端には、螺合部８１とナット部８２をそれぞれ設置する。各連結柱８０の螺合部８１一端は、散熱底板７０の穿孔７２と内板４０の貫通孔４２を貫通し、パネル１０内縁の各螺合台１４上に対応して固定結合する。さらに、ナット部８２に、スパナのような工具を用いて、螺合操作を行う。
【００２５】
図５、６に示すように、本考案の散熱効果が高い灯具１００の最適応用例では、天井２００に応用し、天井嵌め込み灯とする形態を形成する。電源装置３００(図５参照)は、天井２００内に予め設置する。電源装置３００は、散熱効果が高い灯具１００中の各発光ダイオード灯部品５０が必要とする直流作動電源を提供する機能を備える。電源装置３００両端には、電源プラグ３１０と電源出力コネクター３２０をそれぞれ設置する。電源プラグ３１０は、市内交流電源に連結し、市内交流電源を電源装置３００に入力する。電源出力コネクター３２０は、散熱底板７０の出線口７３から引き出す電源ケーブル７３１のコネクター７３１Aに連結する。これにより、電源装置３００は、直流作動電源を、各発光ダイオード灯部品５０に提供する。発光ダイオード灯部品５０の直流作動電源の供給方式は、上記した電源装置３００に、電源出力コネクター３２０と電源ケーブル７３１のコネクター７３１Aにより連結する方式に限定するものではない。
【００２６】
パネル１０周辺の固定結合部１３の弾性固定部品１３３により、先ず、内向きに圧縮し、回復の弾力を備えさせる。次に、散熱効果が高い灯具１００全体を、天井２００の嵌孔２１０中に嵌め入れる。さらに、弾性固定部品１３３の回復弾力により、弾性固定部品１３３は外へと押し広がり、天井２０と嵌孔２１０内縁とは、係合作用を形成する(図６参照)。こうして、散熱効果が高い灯具１００全体は、天井２００の嵌孔２１０中に嵌めて設置される。
【００２７】
図６に示すように、本考案の散熱効果が高い灯具１００を、天井２００の嵌孔２１０上に設置したことで、図７に示すように、パネル１０の通気孔１２、散熱リング３０の各孔３１、内板４０の空気孔４３により、各発光ダイオード灯部品５０の第一段階散熱構造を形成する。発光ダイオード灯部品５０は、さらに、流体循環散熱器６０前端の導熱面６２１を経て、発光ダイオード灯部品５０の第二段階散熱構造を形成する。その散熱原理とルートは、図７に示す。図７に示すように、発光ダイオード灯部品５０の散熱面５２が発生する熱は、導熱部品６２により吸収し、導熱部品６２と熱均一リング６４との間の流体導熱媒介６１２Dを加熱する。これにより、流体導熱媒介６１２Dは液体、気体のフェーズ変化を起こし、毛細作用により、液吸収導管６５に沿って、下方へと、散熱部品６３まで伝えられ、散熱して、冷却される。さらに、散熱部品６３は、循環管道６１２Cを経て循環し、導熱部品６２端の熱均一リング６４まで戻る(図７に示す矢印の方向)。この流体導熱媒介６１２Dの自体循環過程において、外管６１の散熱フィン６１１も、補助散熱、温度低下の作用を発揮する。最後に、熱均一リング６４は、流体導熱媒介６１２Dを吸収し、循環散熱温度低下動作を繰り返し、熱均一リング６４は、各発光ダイオード灯部品５０とそれが連結する導熱部品６２、内板４０、パネル１０表面上に、それぞれ均一に散熱機能を提供する。
【００２８】
上記した散熱循環ルートにより、各発光ダイオード灯部品５０の熱、或いは熱点の高温は、液吸収導管６５の毛細作用により、散熱部品６３端へと迅速に持ち出される。さらに、各散熱部品６３の散熱面６３１により、熱を、散熱底板７０へと迅速に伝え、散熱を行う。これにより、パネル１０と散熱底板７０との間の温度差は、２０〜３０℃前後に達する。つまり、パネル１０は、より低い温度状態を保持することができ、本考案の高い散熱効率を達成することができる。しかも、流体導熱媒介６１２Dが発生するのが、液体、気体のフェーズ循環散熱であろうと、気体、液体冷却のフェーズ変化であろうと、液吸収導管６５の加速伝導効果を通して、さらに内管６６と外管６１の隔絶により形成する温度差により、液吸収導管６５内の流体導熱媒介６１２Dと、循環管道６１２C中の流体導熱媒介６１２Dとは、片方が熱く、片方が冷たいという、熱対流二次加速循環効果を形成する。これにより、流体導熱媒介６１２Dの散熱循環速度は、加速し、本考案の散熱速度と効率を、さらに高めることができる。
【００２９】
図８、９に示すように、本考案散熱効果が高い灯具１００の第二実施例では、散熱底板７０の出線口７３上端に、管路４００を連結する。管路４００上端には、電源装置３００’を連結する。電源装置３００’表面には、若干の散熱孔３３０を備え、散熱孔３３０により散熱を行う。電源装置３００’は、管路４００を通して、電源ケーブル７３１に連結する。電源装置３００’の上端にはさらに、吊り下げ棒５００一端を結合する。吊り下げ棒５００は、中空状で、反対端には、固定台６００を結合する。固定台６００は、天井２００の灯具電源接続線ボックス７００に連結し(図９参照)、これにより灯具電源接続線ボックス７００中の交流市内電源線は、中空の吊り下げ棒５００を通り抜けて下に向かい、電源装置３００’に連結する。こうして、電源装置３００’は、交流市内電源を得ることができ、ハイダウンライトのような構造を構成することができる。
【００３０】
図１０に示すように、本考案散熱効果が高い灯具１００の第三実施例の、図８、９に示す実施例との相違点は、中空の吊り下げ棒５００が、多数のパーツに分かれた組み立て式で、分解が可能な構造であるところである。これにより、散熱効果が高い灯具１００は、さまざまな吊り下げの高さのニーズに応じて、パーツを連結し、違った長さの中空吊り下げ棒５００を形成することができる。
【００３１】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００３２】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００３３】
１００  散熱効果が高い灯具
１０  パネル
１１  投射孔
１２  通気孔
１３  固定結合部
１３１  固定結合ネジ孔
１３２  ボルト
１３３  弾性固定部品
１４  螺合台
１５  嵌槽
２０  ワッシャ
３０  散熱リング
３１  孔
４０  内板
４１  穿孔
４２  貫通孔
４３  空気孔
４４  フック
５０  発光ダイオード灯部品
５１  発光面
５１１  ランプシェード
５２  散熱面
６０  流体循環散熱器
６１  外管
６１１  散熱フィン
６１２  収容室
６１２A  固定結合ネジヤマ
６１２B  固定結合ネジヤマ
６１２C  循環管道
６１２D  流体導熱媒介
６２  導熱部品
６２１  導熱面
６２２  接合部
６２２A  ネジヤマ
６２２B  挿入孔
６３  散熱部品
６３１  散熱面
６３１A  ネジ孔
６３２  接合部
６３２A  ネジヤマ
６３２B  挿入孔
６４  熱均一リング
６４１  穿孔
６５  液吸収導管
６６  内管
７０  散熱底板
７１  ネジ孔
７１１  ボルト
７２  穿孔
７３  出線口
７３１  電源ケーブル
７３１A  コネクター
８０  連結柱
８１  螺合部
８２  ナット部
２００  天井
２１０  嵌孔
３００  電源装置
３００'  電源装置
３１０  電源プラグ
３２０  電源出力コネクター
３３０  散熱孔
４００  管路
５００  吊り下げ棒
６００  固定台
７００  灯具電源接続線ボックス
１３３A  孔
【図１】
0003165565.tif 000003
【図２】
0003165565.tif 000004
【図３】
0003165565.tif 000005
【図４】
0003165565.tif 000006
【図５】
0003165565.tif 000007
【図６】
0003165565.tif 000008
【図７】
0003165565.tif 000009
【図８】
0003165565.tif 000010
【図９】
0003165565.tif 000011
【図１０】
0003165565.tif 000012